(57)【要約】      （修正有）【課題】安全装置の一つであるリミットスイッチやカムのリニューアルによるエレベーターの停止時間を低減し、顧客へのサービス性を向上するエレベーターおよびエレベーターのリニューアル方法を提供する。【解決手段】第一の可動部を有し、乗りかごが終端階を行き過ぎたことを検出する第一のリミットスイッチと、乗りかごに設置され、乗りかごに連動して第一の可動部を変位させる第一のカムと、乗りかごが終端階を行き過ぎたことを検出した際に、乗りかごを制動する制御盤と第一のリミットスイッチとを接続する配線と、を有するものであって、第一のリミットスイッチよりも、より昇降路の終端に近づくよう縦方向にずらして設置され、乗りかごが終端階を行き過ぎたことを検出し、第二の可動部を有する第二のリミットスイッチと、第一のカムよりも縦方向に長い寸法を有し、乗りかごに設置され、乗りかごに連動して第二の可動部を変位させる第二のカムと、有する。【選択図】図１
2020083504.tif 000002
【特許請求の範囲】
【請求項１】
第一の可動部を有し、乗りかごが終端階を行き過ぎたことを検出する第一のリミットスイッチと、前記乗りかごに設置され、前記乗りかごに連動して前記第一の可動部を変位させる第一のカムと、前記乗りかごが前記終端階を行き過ぎたことを検出した際に、前記乗りかごを制動する制御盤と前記第一のリミットスイッチとを接続する配線と、を有するエレベーターであって、
前記第一のリミットスイッチよりも、より昇降路の終端に近づくよう縦方向にずらして設置され、前記乗りかごが終端階を行き過ぎたことを検出し、第二の可動部を有する第二のリミットスイッチと、前記第一のカムよりも縦方向に長い寸法を有し、前記乗りかごに設置され、前記乗りかごに連動して前記第二の可動部を変位させる第二のカムと、有することを特徴とするエレベーター。
【請求項２】
請求項１に記載のエレベーターであって、
前記第二のカムが、前記第一のカムの下側に縦方向に延長して設置される下側延長新設カムおよび前記第一のカムの上側に縦方向に延長して設置される上側延長新設カムであることを特徴とするエレベーター。
【請求項３】
第一の可動部を有し、乗りかごが終端階を行き過ぎたことを検出する第一のリミットスイッチと、前記乗りかごに設置され、前記乗りかごに連動して前記第一の可動部を変位させる第一のカムと、前記乗りかごが前記終端階を行き過ぎたことを検出した際に、前記乗りかごを制動する制御盤と前記第一のリミットスイッチとを接続する配線と、を有するエレベーターであって、
前記第一のリミットスイッチよりも、奥行き方向にずらして設置され、第二の可動部を有し、前記乗りかごが終端階を行き過ぎたことを検出する第二のリミットスイッチと、前記第一のカムよりも縦方向に長い寸法を有し、前記乗りかごに設置され、前記乗りかごに連動して前記第二の可動部を変位させる第二のカムと、有し、
前記配線を、前記制御盤と前記第二のリミットスイッチとを接続するためにも使用することを特徴とするエレベーター。
【請求項４】
第一の可動部を有し、乗りかごが終端階を行き過ぎたことを検出する第一のリミットスイッチと、前記乗りかごに設置され、前記乗りかごに連動して前記第一の可動部を変位させる第一のカムと、前記乗りかごが前記終端階を行き過ぎたことを検出した際に、前記乗りかごを制動する制御盤と前記第一のリミットスイッチとを接続する配線と、を有するエレベーターのリニューアル方法であって、
前記乗りかごが終端階を行き過ぎたことを検出し、第二の可動部を有する第二のリミットスイッチを、前記第一のリミットスイッチよりも、より昇降路の終端に近づくよう縦方向にずらして設置し、前記第一のカムよりも縦方向に長い寸法を有し、前記乗りかごに連動して前記第二の可動部を変位させる第二のカムを、前記乗りかごに設置することを特徴とするエレベーターのリニューアル方法。
【請求項５】
請求項４に記載のエレベーターのリニューアル方法であって、
前記第一のリミットスイッチおよび前記第一のカムの少なくとも一方を、任意のタイミングで撤去することを特徴とするエレベーターのリニューアル方法。
【発明の詳細な説明】
【技術分野】
【０００１】
本発明は、エレベーターおよびエレベーターのリニューアル方法に関する。
【背景技術】
【０００２】
エレベーターには、乗りかごの安全な運行を確保するために種々の安全装置が設置される。これらの安全装置の一つとしてリミットスイッチおよびカムがある。すなわち、最上階に対する乗りかごの停止位置の上方や最下階に対する乗りかごの停止位置の下方に、リミットスイッチが設置され、このリミットスイッチが乗りかご（乗りかごに設置されるカム）を検出した場合には、主ロープを駆動する駆動モータへの通電を遮断し、乗りかごを停止させて、安全を確保する。
【０００３】
ところで、エレベーターに使用される各種機器は、経年劣化し、機能低下することから、リニューアルされる。リミットスイッチやカムもリニューアルされる機器の一つである。リニューアルによるエレベーターの停止時間が長くなると、顧客へのサービス性が低下するため、この停止時間を低減する、いわゆるノンストップ工法が提案されている。
【０００４】
こうした本技術分野の背景技術として、特開平２−２３１７９号公報（特許文献１）がある。この公報には、「昇降路に設置される塔内機器と、前記昇降路内を昇降可能なかごに設置されるかご機器と、前記昇降路に付設された機械室に設置され、前記かごの運転を行う運転盤と、この運転盤と前記塔内機器との間、および該運転盤と前記かご機器との間にそれぞれ設けられる電線とを有する昇降機の改造に用いられ、前記塔内機器、前記かご機器および前記運転盤の少なくとも一つを新設機器と取替える昇降機の改造方法において、まず、前記塔内機器、前記かご機器および前記運転盤のうちの取替えられる交換機器に前記新設機器を並設して、次に、新設電線で前記新設機器への配線を行い、そして、前記交換機器と、この交換機器に接続された電線とをそれぞれ撤去するようにしたことを特徴とする昇降機の改造方法」が記載されている。
【先行技術文献】
【特許文献】
【０００５】
【特許文献１】特開平２−２３１７９号公報
【発明の概要】
【発明が解決しようとする課題】
【０００６】
特許文献１には、取替えられる交換機器（既設機器）に新設機器を並設し、新設電線を使用して新設機器を配線し、その後、既設機器とこの既設機器に接続された既設電線とを撤去する昇降機の改造方法が記載されている。しかし、特許文献１には、安全装置の一つであるリミットスイッチやカムをリニューアルする場合、リミットスイッチの設置位置やカムの寸法に関しては記載されていない。
【０００７】
そこで、本発明は、特に、エレベーターに設置される安全装置の一つであるリミットスイッチやカムのリニューアルに関するものであり、リミットスイッチやカムのリニューアルによるエレベーターの停止時間を低減し、顧客へのサービス性を向上するエレベーターおよびエレベーターのリニューアル方法を提供する。
【課題を解決するための手段】
【０００８】
上記課題を解決するために、本発明のエレベーターは、第一の可動部（既設の可動部）を有し、乗りかごが終端階（最上階端または最下階端）を行き過ぎたことを検出する第一のリミットスイッチ（既設のリミットスイッチ）と、乗りかごに設置され、乗りかごに連動して第一の可動部を変位させる第一のカム（既設のカム）と、乗りかごが終端階を行き過ぎたことを検出した際に、乗りかごを制動する制御盤と第一のリミットスイッチとを接続する配線と、を有するものであって、第一のリミットスイッチよりも、より昇降路の終端に近づくよう縦方向にずらして設置され、乗りかごが終端階を行き過ぎたことを検出し、第二の可動部（新設の可動部）を有する第二のリミットスイッチ（新設のリミットスイッチ）と、第一のカムよりも縦方向に長い寸法を有し、乗りかごに設置され、乗りかごに連動して第二の可動部を変位させる第二のカム（新設のカム）と、有する。
【０００９】
そして、本発明のエレベーターのリニューアル方法は、第一の可動部を有し、乗りかごが終端階を行き過ぎたことを検出する第一のリミットスイッチと、乗りかごに設置され、乗りかごに連動して第一の可動部を変位させる第一のカムと、乗りかごが終端階を行き過ぎたことを検出した際に、乗りかごを制動する制御盤と第一のリミットスイッチとを接続する配線と、を有するものであって、乗りかごが終端階を行き過ぎたことを検出し、第二の可動部を有する第二のリミットスイッチを、第一のリミットスイッチよりも、より昇降路の終端に近づくよう縦方向にずらして設置し、第一のカムよりも縦方向に長い寸法を有し、乗りかごに連動して第二の可動部を変位させる第二のカムを、乗りかごに設置することを特徴とする。
【発明の効果】
【００１０】
本発明によれば、特に、エレベーターに設置される安全装置の一つであるリミットスイッチやカムのリニューアルにおいて、リミットスイッチやカムのリニューアルによるエレベーターの停止時間を低減し、顧客へのサービス性を向上するエレベーターおよびエレベーターのリニューアル方法を提供する。
【００１１】
なお、上記した以外の課題、構成及び効果は、以下の実施例の説明により明らかにされる。
【図面の簡単な説明】
【００１２】
【図１】実施例１にかかるエレベーターの構成を説明する説明図である。
【図２】実施例２にかかるエレベーターの構成を説明する説明図である。
【図３】実施例３にかかるエレベーターの構成を説明する説明図である。
【発明を実施するための形態】
【００１３】
以下、本発明の実施例を、図面を使用して説明する。なお、各図において、同一又は類似の構成には、同一の符号を付し、説明が重複する場合には、その説明を省略する場合がある。
【実施例１】
【００１４】
図１は、実施例１にかかるエレベーターの構成を説明する説明図である。
【００１５】
既設のエレベーターは、昇降路１の内部に設置され、ロープ（図示なし）により吊り持ちされ、ガイドレール２に沿って昇降する乗りかご３と、ロープを昇降駆動する巻上機（図示なし）や種々の安全装置（図示なし）を運転制御する制御盤４と、を有する。
【００１６】
本実施例は、特に、安全装置の一つであるリミットスイッチやカムを有するエレベーターに関するものであり、このリミットスイッチやカムのリニューアルに関するものである。
【００１７】
エレベーターの安全装置の一つであるリミットスイッチ（既設）は、可動部１０ａ（既設の可動部：第一の可動部）を有し、乗りかご３が最下階（最終端）を行き過ぎた場合に作動する（行き過ぎたことを検知する）既設最下階側リミットスイッチ１０（既設のリミットスイッチ：第一のリミットスイッチ）と、可動部１１ａ（既設の可動部：第一の可動部）を有し、乗りかご３が最上階（最終端）を行き過ぎた場合に作動する（行き過ぎたことを検知する）既設最上階側リミットスイッチ１１（既設のリミットスイッチ：第一のリミットスイッチ）と、を有する。
【００１８】
また、エレベーターの安全装置の一つであるカム（既設）は、乗りかご３に設置され、乗りかご３に連動して可動部１０ａ（乗りかご３が最下階を行き過ぎた場合）や可動部１１ａ（乗りかご３が最上階を行き過ぎた場合）を変位させる既設カム１２（第一のカム）と、を有する。
【００１９】
つまり、カムは、乗りかご３と共に昇降（連動）する。そして、乗りかご３に設置されるカムが、リミットスイッチの可動部に接触すると、可動部が動き（変位し）、最終端（最上階端または最下階端）を行き過ぎたことを検知する。
【００２０】
そして、既設最下階側リミットスイッチ１０および既設最上階側リミットスイッチ１１は、既設配線１３を介して、制御盤４に接続されている。
【００２１】
なお、制御盤４は、乗りかご３が終端階を行き過ぎたことを検出した際に、乗りかご３を制動する。
【００２２】
既設最下階側リミットスイッチ１０は、複数の可動部１０ａを有し、最下階を行き過ぎたことを検出するダウンリミットスイッチやダウンリミットスイッチが何らかの理由により作動しなかった場合においても、最下階を著しく行き過ぎないように、確実に下降を制止するためのダウンファイナルリミットスイッチ（図示なし）を有する。
【００２３】
そして、ダウンリミットスイッチの作動に応じて、下降方向への乗りかご３の運転を制御（減速停止）する。一方、ダウンファイナルリミットスイッチが作動した場合には、速やかに巻上機に対する動力の供給を断ち、シーブの回転を止め、ブレーキによりシーブを制動させる。
【００２４】
既設最上階側リミットスイッチ１１は、複数の可動部１１ａを有し、最上階を行き過ぎたことを検出するアップリミットスイッチやアップリミットスイッチが何らかの理由により作動しなかった場合においても、最上階を著しく行き過ぎないように、確実に上昇を制止するためのアップファイナルリミットスイッチ（図示なし）を有する。
【００２５】
そして、アップリミットスイッチの作動に応じて、上昇方向への乗りかご３の運転を制御（減速停止）する。一方、アップファイナルリミットスイッチが作動した場合には、速やかに巻上機に対する動力の供給を断ち、シーブの回転を止め、ブレーキによりシーブを制動させる。
【００２６】
また、本実施例では、既設のリミットスイッチをリニューアルする場合、新設のリミットスイッチを、既設のリミットスイッチよりも、より昇降路１の終端（上端または下端）に近づくよう縦方向にずらして配置する。
【００２７】
つまり、既設のリミットスイッチ（既設最下階側リミットスイッチ１０および既設最上階側リミットスイッチ１１）をリニューアルする場合、新設最下階側リミットスイッチ２０（第二のリミットスイッチ）の可動部２０ａ（第二の可動部）を、既設最下階側リミットスイッチ１０から、より昇降路１の下端（終端）へ近づくよう縦方向にずらして配置し、また、新設最上階側リミットスイッチ２１（第二のリミットスイッチ）の可動部２１ａ（第二の可動部）を、既設最上階側リミットスイッチ１１から、より昇降路１の上端（終端）へ近づくよう縦方向にずらして配置する。
【００２８】
さらに、既設カム１２よりも縦方向に長い寸法を有する新設カム２２を、乗りかご３に設置する。なお、安全装置としての、新設最下階側リミットスイッチ２０および新設最上階側リミットスイッチ２１と既設カム２２との機能は、既設最下階側リミットスイッチ１０および既設最上階側リミットスイッチ１１と既設カム１２との機能と同様である。
【００２９】
これにより、リニューアル後においても、新設カム２２は、新設のリミットスイッチ（新設最下階側リミットスイッチ２０および新設最上階側リミットスイッチ２１）と共に、安全装置としての機能を有することができる。
【００３０】
なお、新設最下階側リミットスイッチ２０の可動部２０ａが下端へ近づくよう縦方向にずらして配置される距離、および、新設最上階側リミットスイッチ２１の可動部２１ａが上端へ近づくよう縦方向にずらして配置される距離を、それぞれ勘案し、新設カム２２の縦方向（上下方向）の寸法を長くすることが好ましい。
【００３１】
更には、可動部２０ａが下端へ近づくように縦方向にずれた距離と新設カム２２の縦方向（下方向）に長くなる寸法とが等しく、可動部２１ａが上端へ近づくように縦方向にずれた距離と新設カム２２の縦方向（上方向）に長くなる寸法とが等しいことが好ましい。
【００３２】
そして、既設配線１３を、新設最下階側リミットスイッチ２０および新設最上階側リミットスイッチ２１に接続する。
【００３３】
なお、既設制御盤４を新設制御盤４に、リニューアルする場合には、既設制御盤４を新設制御盤４にリニューアルした後に、既設配線１３を、新設最下階側リミットスイッチ２０および新設最上階側リミットスイッチ２１に接続する。
【００３４】
このように、本実施例では、作業時間の短縮を図り、リミットスイッチやカムのリニューアルによるエレベーター停止時間を低減することができる。特に、既設配線１３を使用することにより、リミットスイッチやカムのリニューアルによるエレベーター停止時間を、より低減することができる。つまり、リミットスイッチのリニューアルに伴い、こうした既設配線１３もリニューアルする場合には、最上階から最下階まで配線を新設する必要があり、多大な作業時間を必要とするが、既設配線１３を使用することにより、こうした作業時間を短縮することができる。
【００３５】
本実施例では、この状態にて、エレベーターの運転が可能となり、新設最下階側リミットスイッチ２０および新設最上階側リミットスイッチ２１にて、安全が確保される。
【００３６】
既設最下階側リミットスイッチ１０と同様に、新設最下階側リミットスイッチ２０は、複数の可動部２０ａを有し、最下階を行き過ぎたことを検出するダウンリミットスイッチやダウンリミットスイッチが何らかの理由により作動しなかった場合においても、最下階を著しく行き過ぎないように、確実に下降を制止するためのダウンファイナルリミットスイッチ（図示なし）を有する。
【００３７】
そして、乗りかご３が最下階を行き過ぎると新設カム２２が新設最下階側リミットスイッチ２０の所定の可動部２０ａに接し、ダウンリミットスイッチが作動して、下降方向への乗りかご３の運転を制御（減速停止）する。
【００３８】
また、なんらかの理由により乗りかご３がさらに下降すると、新設カム２２が新設最下階側リミットスイッチ２０の所定の可動部２０ａに接し、ダウンファイナルリミットスイッチが作動して、速やかに巻上機に対する動力の供給を断ち、シーブの回転を止め、ブレーキによりシーブを制動させる。
【００３９】
既設最上階側リミットスイッチ１１と同様に、新設最上階側リミットスイッチ２１は、複数の可動部２１ａを有し、最上階を行き過ぎたことを検出するアップリミットスイッチやアップリミットスイッチが何らかの理由により作動しなかった場合においても、最上階を著しく行き過ぎないように、確実に上昇を制止するためのアップファイナルリミットスイッチ（図示なし）を有する。
【００４０】
そして、乗りかご３が最上階を行き過ぎると新設カム２２が新設最上階側リミットスイッチ２１の所定の可動部２１ａに接し、アップリミットスイッチが作動して、上昇方向への乗りかご３の運転を制御（減速停止）する。
【００４１】
また、なんらかの理由により乗りかご３がさらに上昇すると、新設カム２２が新設最上階側リミットスイッチ２１の所定の可動部２１ａに接し、アップファイナルリミットスイッチが作動して、速やかに巻上機に対する動力の供給を断ち、シーブの回転を止め、ブレーキによりシーブを制動させる。
【００４２】
そして、この状態で、エレベーターは運転可能となり、新設最下階側リミットスイッチ２０および新設最上階側リミットスイッチ２１、新設カム２２にて安全が確保される。
【００４３】
また、本実施例に記載するエレベーターのリニューアル方法としては、乗りかご３が最下階や最上階の終端階を行き過ぎたことを検出し、新設の可動部（第二の可動部）を有する新設のリミットスイッチ（第二のリミットスイッチ）を、既設のリミットスイッチ（第一のリミットスイッチ）よりも、より昇降路１の最下端や最上端の終端に近づくよう縦方向にずらして設置する工程と、既設カム１２（第一のカム）よりも縦方向に長い寸法を有し、乗りかご３に連動して新設の可動部を変位させる新設カム２２（第二のカム）を、乗りかご３に設置する工程を有するものである。
【００４４】
そして、エレベーターの利用率が低い時間帯等の任意のタイミングに、既設最下階側リミットスイッチ１０、既設最上階側リミットスイッチ１１、および既設カム１２を撤去してもよい。このように、任意のタイミングで、既設のリミットスイッチや既設のカムを撤去することにより、リミットスイッチやカムのリニューアルによる顧客へのサービス性を向上することができる。
【００４５】
一方、既設最下階側リミットスイッチ１０および既設最上階側リミットスイッチ１１と制御盤４とは、未接続状態にあり、新設カム２２や既設カム１２が既設最下階側リミットスイッチ１０や既設最上階側リミットスイッチ１１に接触しても、信号伝達されることはない。つまり、既設最下階側リミットスイッチ１０、既設最上階側リミットスイッチ１１、既設カム１２を、そのまま残すこともできる。このように、既設のリミットスイッチや既設のカムを撤去することなく、設置し続けることにより、撤去作業を省略することができ、さらなる作業時間の短縮を図り、リニューアルにおけるエレベーター停止時間を低減することができる。
【実施例２】
【００４６】
図２は、実施例２にかかるエレベーターの構成を説明する説明図である。
【００４７】
本実施例では、実施例１と同様に、既設のリミットスイッチ（既設最下階側リミットスイッチ１０および既設最上階側リミットスイッチ１１）をリニューアルする場合、新設最下階側リミットスイッチ２０の可動部２０ａを、既設最下階側リミットスイッチ１０から、より昇降路１の下端へ近づくよう縦方向にずらして配置し、また、新設最上階側リミットスイッチ２１の可動部２１ａを、既設最上階側リミットスイッチ１１から、より昇降路１の上端へ近づくよう縦方向にずらして配置する。
【００４８】
さらに、下側延長新設カム３２ａを、既設カム１２の下端部（乗りかご３）に、および、上側延長新設カム３２ｂを、既設カム１２の上端部（乗りかご３）に、それぞれ設置する。つまり、下側延長新設カム３２ａおよび上側延長新設カム３２ｂを、既設カム１２の長さ寸法を縦方向に延長するように乗りかご３に設置する。これにより、実施例１に記載した新設カム２２と同様の効果が期待できる。
【００４９】
つまり、本実施例では、新設のカム（下側延長新設カム３２ａおよび上側延長新設カム３２ｂ：第二のカム）は、既設カム１２（第一のカム）の下側に縦方向に延長して設置される下側延長新設カム３２ａと、既設カム１２（第一のカム）の上側に縦方向に延長して設置される上側延長新設カム３２ｂである。
【００５０】
なお、新設最下階側リミットスイッチ２０の可動部２０ａが下端へ近づくよう縦方向にずらして配置される距離、および、新設最上階側リミットスイッチ２１の可動部２１ａが上端へ近づくよう縦方向にずらして配置される距離を、それぞれ勘案し、下側延長新設カム３２ａおよび上側延長新設カム３２ｂの縦方向（上下方向）の寸法を長くすることが好ましい。
【００５１】
更には、可動部２０ａが下端へ近づくように縦方向にずれた距離と下側延長新設カム３２ａの縦方向（下方向）に長くなる寸法とが等しく、可動部２１ａが上端へ近づくように縦方向にずれた距離と上側延長新設カム３２ｂの縦方向（上方向）に長くなる寸法とが等しいことが好ましい。
【００５２】
このように、本実施例では、作業時間の短縮を図り、リミットスイッチやカムのリニューアルによるエレベーター停止時間を低減することができる。特に、本実施例においても、既設配線１３を使用することにより、リミットスイッチやカムのリニューアルによるエレベーター停止時間を、より低減することができる。つまり、リミットスイッチのリニューアルに伴い、こうした既設配線１３もリニューアルする場合には、最上階から最下階まで配線を新設する必要があり、多大な作業時間を必要とするが、既設配線１３を使用することにより、こうした作業時間を短縮することができる。
【００５３】
そして、この状態で、エレベーターは運転可能となり、新設最下階側リミットスイッチ２０および新設最上階側リミットスイッチ２１、側延長新設カム３２ａおよび上側延長新設カム３２ｂにて安全が確保される。
【００５４】
一方、既設最下階側リミットスイッチ１０および既設最上階側リミットスイッチ１１と制御盤４とは、未接続状態にあり、下側延長新設カム３２ａおよび上側延長新設カム３２ｂや既設カム１２が既設最下階側リミットスイッチ１０や既設最上階側リミットスイッチ１１に接触しても、信号伝達されることはない。つまり、既設最下階側リミットスイッチ１０、既設最上階側リミットスイッチ１１、既設カム１２を、そのまま残すこともできる。このように、既設のリミットスイッチや既設のカムを撤去することなく、設置し続けることにより、撤去作業を省略することができ、さらなる作業時間の短縮を図り、リニューアルにおけるエレベーター停止時間を低減することができる。
【実施例３】
【００５５】
図３は、実施例３にかかるエレベーターの構成を説明する説明図である。
【００５６】
本実施例では、実施例１や実施例２とは異なり、既設のリミットスイッチ（既設最下階側リミットスイッチ１０および既設最上階側リミットスイッチ１１）をリニューアルする場合、新設最下階側リミットスイッチ３０の可動部３０ａを、既設最下階側リミットスイッチ１０から、横方向（奥行き方向）にずらして配置し、また、新設最上階側リミットスイッチ３１の可動部３１ａを、既設最上階側リミットスイッチ１１から、横方向（奥行き方向）にずらして配置する。
【００５７】
さらに、既設カム１２より、横方向（奥行き方向）にずらして新設カム３２を、乗りかご３に設置する。これにより、リニューアル後においても、新設のリミットスイッチと共に、安全装置としての機能を有することができる。
【００５８】
つまり、本実施例では、新設のリミットスイッチ（第二のリミットスイッチ）を、既設のリミットスイッチ（第一のリミットスイッチ）よりも、奥行き方向にずらして設置する。そして、新設のリミットスイッチに設置される新設の可動部（第二の可動部）も、奥行き方向にずらして設置され、乗りかご３が終端階（最下階又は最上階）を行き過ぎたことを検出する。
【００５９】
また、新設カム３２（第二のカム）は、既設カム１２（第一のカム）よりも縦方向に長い寸法を有し、乗りかご３に設置されて、乗りかご３に連動して新設の可動部（第二の可動部）を変位させる。
【００６０】
更には、制御盤４と新設のリミットスイッチとを接続する配線としては、既設配線１３を流用する。このように、特に、本実施例では、既設配線１３を流用することが好ましい。これにより、作業時間の短縮を図り、リニューアルにおけるエレベーター停止時間を低減することができる。
【００６１】
そして、この状態で、エレベーターは運転可能となり、新設最下階側リミットスイッチ３０および新設最上階側リミットスイッチ３１、新設カム３２にて安全が確保される。
【００６２】
一方、既設最下階側リミットスイッチ１０および既設最上階側リミットスイッチ１１と制御盤４とは、未接続状態にあり、新設カム３２や既設カム１２が既設最下階側リミットスイッチ１０や既設最上階側リミットスイッチ１１に接触しても、信号伝達されることはない。つまり、既設最下階側リミットスイッチ１０、既設最上階側リミットスイッチ１１、既設カム１２を、そのまま残すこともできる。このように、既設のリミットスイッチや既設のカムを撤去することなく、設置し続けることにより、撤去作業を省略することができ、さらなる作業時間の短縮を図り、リニューアルにおけるエレベーター停止時間を低減することができる。
【００６３】
このように、本実施例では、特に、既設配線１３を流用することにより、作業時間の短縮を図り、リニューアルにおけるエレベーター停止時間を低減することができる。
【００６４】
以上のように、本発明は、新設のリミットスイッチと既設のリミットスイッチとを異なる座標（縦方向の異なる位置）に設置することにより、任意のタイミングで既設のリミットスイッチを撤去することができ、これにより顧客へのサービス性が向上する。
【００６５】
また、新設のカムと既設のカムとの縦方向の寸法を変化させることにより、任意のタイミングで既設のリミットスイッチを撤去することができ、これにより顧客へのサービス性が向上する。
【００６６】
さらに、既設のリミットスイッチや既設のカムを撤去しないこともでき、撤去作業を省き、さらに作業時間を短縮することもできる。
【００６７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるこのではない。また、ある実施例の構成の一部を他の実施例の構成に置き換えることも可能であり、また、ある実施例の構成に他の実施例の構成を加えることも可能である。
【符号の説明】
【００６８】
１  昇降路
２  ガイドレール
３  乗りかご
４  制御盤
１０  既設最下階側リミットスイッチ
１１  既設最上階側リミットスイッチ
１２  既設カム
１３  配線
２０  新設最下階側リミットスイッチ
２１  新設最上階側リミットスイッチ
２２  新設カム
【図１】
2020083504.tif 000003
【図２】
2020083504.tif 000004
【図３】
2020083504.tif 000005